(57)【要約】【課題】ホルダの摺動溝をその全体が利用できるようにして、変動吸収の範囲を拡大すること。【解決手段】間隙をおいて相対する両立上り躯体にそれぞれ設けた支持部材５上に複数のホルダ６を間隔をおいて取りつけ、該ホルダに上記間隙を覆うカバー材を取りつけたエキスパンションジョイントにおいて、上記ホルダ６を、その長手方向に２個の平行な溝１０、２６を有するホルダ本体６ａと、ホルダ本体６ａの両側に差し込みによって取りつけた係止片１１とから構成する一方、上記支持部材５を、上記両立上り躯体２、３の長手方向に設けた軌条部８に対して回動自在に取りつけ、上記ホルダの一方の溝２６には上記係止片１１を差し込み、他方の溝１０には上記支持部材５を摺動自在に取りつけた。【選択図】        図１
2005009193.tif 000002
【特許請求の範囲】
【請求項１】
間隙をおいて相対する両立上り躯体にそれぞれ設けた支持部材上に複数のホルダを間隔をおいて取りつけ、該ホルダに上記間隙を覆うカバー材を取りつけたエキスパンションジョイントにおいて、
上記ホルダを、その長手方向に２個の平行な溝を有するホルダ本体と、ホルダ本体の両側に差し込みによって取りつけた係止片とから構成する一方、
上記支持部材を、上記両立上り躯体の長手方向に設けた軌条部に対して回動自在に取りつけ、
上記ホルダの一方の溝には上記係止片を差し込み、他方の溝には上記支持部材を摺動自在に取りつけた
ことを特徴とするエキスパンションジョイント。
【請求項２】
間隙をおいて相対する立上り躯体と壁躯体にそれぞれ設けた支持部材上に複数のホルダを間隔をおいて取りつけ、該ホルダに上記間隙を覆うカバー材を取りつけたエキスパンションジョイントにおいて、
上記ホルダを、その長手方向に２個の平行な溝を有するホルダ本体と、ホルダ本体の両側に差し込みによって取りつけた係止片とから構成する一方、
上記支持部材のうち一方を、上記立上り躯体の長手方向に設けた軌条部に対して回動自在に取りつけ、他方を上記壁躯体の長手方向に設けた支持部材に対して回動自在に取りつけ、
上記ホルダの一方の溝には上記係止片を差し込み、他方の溝には上記支持部材を摺動自在に取りつけた
ことを特徴とするエキスパンションジョイント。
【請求項３】
前記立上り躯体の外側とホルダの係止片との間に空隙を設けたことを特徴とする請求項１又は請求項２に記載のエキスパンションジョイント。
【発明の詳細な説明】
【０００１】
【発明の属する技術分野】
本発明は、間隙をおいて相対する躯体へ簡便に装着して間隙の閉塞を確実に行なわせるエキスパンションジョイントに関する。
【０００２】
【従来の技術】
従来、パラペット等の間隙に用いるエキスパンションジョイントは、躯体の頂部および壁躯体に支持部材を取付けるとともに、この支持部材にホルダー部材を横架して該ホルダー部材は前記支持部材の少なくとも一方に対して取着された連繋支持部材を介して摺動可能に設け、さらに、このホルダー部材に対して前記間隔および躯体を覆うカバー部材を弾性係着する構成としている。（例えば、特許文献１参照）
【０００３】
【特許文献１】
特開昭６３−１４２１３８号公報（第２頁〜第５頁、第１図）
【０００４】
しかしながら、ホルダー部材に設けたリップ溝を連繋支持部材における摺動部材の摺動用と、係止ホルダーの取付片の挿入用に兼用しているため、摺動部材の外方への摺動が取付片に阻害されて減少されることになり、また、連繋支持部材は基部を取付片により躯体へ固定しているから、間隙変動が起こるとき連繋支持部材に破壊応力が作用するため損傷を生じ易い問題点がある。
【０００５】
【発明が解決しようとする課題】
本発明は前記問題点を解消し、カバー材のホルダを摺動溝の全体が利用できるように躯体に取付け、変動吸収の範囲を拡大するとともに、変動時の故障、損傷の抑制とを図ることができるエキスパンションジョイントを提供することをその課題とする。
【０００６】
【課題を解決するための手段】
前記課題を解決するため、本発明に係るエキスパンションジョイントは、間隙をおいて相対する両立上り躯体にそれぞれ設けた支持部材上に複数のホルダを間隔をおいて取りつけ、該ホルダに上記間隙を覆うカバー材を取りつけたエキスパンションジョイントにおいて、上記ホルダを、その長手方向に２個の平行な溝を有するホルダ本体と、ホルダ本体の両側に差し込みによって取りつけた係止片とから構成する一方、上記支持部材を、上記両立上り躯体の長手方向に設けた軌条部に対して回動自在に取りつけ、上記ホルダの一方の溝には上記係止片を差し込み、他方の溝には上記支持部材を摺動自在に取りつけたことを特徴とする。
【０００７】
また、本発明に係るエキスパンションジョイントは、  間隙をおいて相対する立上り躯体と壁躯体にそれぞれ設けた支持部材上に複数のホルダを間隔をおいて取りつけ、該ホルダに上記間隙を覆うカバー材を取りつけたエキスパンションジョイントにおいて、上記ホルダを、その長手方向に２個の平行な溝を有するホルダ本体と、ホルダ本体の両側に差し込みによって取りつけた係止片とから構成する一方、上記支持部材のうち一方を、上記立上り躯体の長手方向に設けた軌条部に対して回動自在に取りつけ、他方を上記壁躯体の長手方向に設けた支持部材に対して回動自在に取りつけ、上記ホルダの一方の溝には上記係止片を差し込み、他方の溝には上記支持部材を摺動自在に取りつけるように構成してもよい。
【０００８】
さらに、前記立上り躯体の外側とホルダの係止片との間に空隙を設けるのがよい。
【０００９】
【発明の実施の形態】
以下に本発明に係るエキスパンションジョイントを図面について説明する。
【００１０】
図１において符号１で示すエキスパンションジョイントは、間隙をおいて相対する立上り躯体に実施した例を示すものであり、このエキスパンションジョイント１は、躯体２と躯体３との間隙Ｓを覆うカバー材４を、支持部材５で躯体２と駆体３へ取り付けたホルダ６により間隙Ｓを閉塞するように保持して、このホルダ６に対し支持部材５の摺動部７を摺動させて間隙Ｓの変動を吸収させるエキスパンションジョイント１において、ホルダ６に対して摺動する支持部材５を、躯体２と駆体３の長手方向に沿って取付けた軌条部８と、該軌条部８を中心とした回動と軌条に沿った移動とが可能な連結部９で連結される構成とし、ホルダ６に設けて支持部材５の摺動部７を係合させた摺動溝１０を、ホルダ６の端部まで摺動部７が移動できるように形成してある構成を有する。
【００１１】
上記躯体２と躯体３は、建物の屋上等に形成されたパラペットと呼ばれる立上り躯体であり、建物主体に合せたコンクリート、その他の材料で形成される。
【００１２】
カバー材４は、図１に示す通り躯体２と躯体３の間隙Ｓから躯体２及び躯体３の上部までを覆う幅の長尺物に形成して、断面形状を中高の山形状となし、両側にはホルダ６へ図３のように取り付けた係止片１１へ先端の鉤部１２を弾性変形で係合させる係合片１３を設けてあり、このカバー材４は、アルミニウムまたはその合金の押出成型あるいは鋼材のプレス加工で形成する。また、躯体２と躯体３の外側と、ホルダ６の係止片１１との間に空隙を設ける。これにより、地震等で躯体２、３間の間隔が広がっても、躯体２と躯体３の外側と、ホルダ６の係止片１１との間の変位は上記空隙に吸収されるので、ホルダ６やカバー材の損傷を防ぐことができる。
【００１３】
ホルダ６を躯体２及び３へ取り付ける支持部材５は、図２（ａ）に示す摺動部７と、図２（ｂ）に示す連結部９と、図２（ｃ）に示す軌条部８とを組み合わせて、図１に示す通り摺動部７をホルダ６の長手方向に沿って形成された摺動溝１０に係合させ、軌条部８を躯体２及び躯体３へ取り付けて、摺動部７が軌条部８を中心とした回動と軌条部８に沿った移動とができるようにしてある。
【００１４】
摺動部７は、図２（ａ）に示す通り外向きの鉤形をなすものであり、その一対が方形の台板１４へ固定されていて、この摺動部７はアルミニウム又はその合金の押出成型品を短寸に切断するか、ダイカスト成型等で短寸に形成する。
【００１５】
連結部９は、図２（ｂ）に示す通り円軸状をなすものであって、上側に断面がＶ形をなす接続箱１５を連設し、この接続箱１５の内側上部に平溝１６を水平に設ける。そして、この平溝１６へ図２（ｄ）に示す止板１７を挿し入れて、この止板１７に設けたネジ孔１８へ摺動部７の台板１４にあけた取付孔１９を通したネジ２０を図１に示す通り締め込み、摺動部７と連結部９を一体化させるものであって、この連結部９も摺動部７と同様の材料、工法で形成する。
【００１６】
軌条部８は、図２（ｃ）に示す通り、上側に開口する欠円溝に形成して、下側に躯体２及び躯体３への取付片２１を付設し、外側には後記パッキン材を支持させる開口側の狭い嵌合溝２２を設けたものであり、アルミニウム又はその合金の押出成型等で長尺に形成して、取付片２１に所定の間隔で取付孔２３をあけ、これら取付孔２３にネジ２４を通して、図１に示す通り躯体２及び躯体へ締付けると、軌条部８は躯体２及び躯体３へ固定される。なお、軌条部８の躯体２及び躯体３への固定位置は、図１に示す通り躯体２及び躯体３の外側面近くに設定することが十分な摺動範囲の確保、取付け強度の保持等に好ましい。
【００１７】
ホルダ６は、図３に示されるように、その長手方向に２個の平行な溝を有するホルダ本体６ａと、ホルダ本体６ａの両側に差し込みによって取りつけられた係止片１１とから構成されている。ホルダ６のホルダ本体６ａに係止片１１を取付けるには、図３に示す通り外側に若干傾くように垂下させた係止片１１の上端から内側ヘ挿込片２５を突出させ、この挿込片２５をホルダ本体６ａに設けた取付溝２６に差し込んで、係止片１１をホルダ６の両側へ取り付ける。なお、取付溝２６は上記摺動溝１０と平行に形成されている。
【００１８】
躯体２と躯体３の間隙Ｓと、躯体２及び躯体３とカバー材４との間には止水部材２７とパッキン材２８とを設ける。止水部材２７は両端を水密が保てる取付部材２９で躯体２と躯体３へ取付けて間隙Ｓを密閉させ、パッキン材２８は図４に示す通りの湾曲形状に形成して、下端の内側に設けた取付片３０で軌条部８の外側に設けた嵌合溝２２へ嵌合し、下端の外側には接触片３１を設けて、パッキン材２８の上端縁をカバー材４の裏面へ押し付けさせ、接触片３１を躯体２及び躯体３の上面へ接触させて間隙Ｓカバー材４と躯体との間が閉塞されるようにするものであり、このパッキン材２８のホルダ６に対応する部分には、図４に示す通りホルダ６が収まるように切り込み３２を形成する。
【００１９】
上記構成のエキスパンションジョイント１は、躯体２と躯体３の頂部へ外側面側に近付けて軌条部８を取り付け、この軌条部８へ一端から連結部９を次々と係合させて他端側へ移動させれば、連結部９の位置と間隔を自由に設定できるので、これらの連結具９にホルダ６の摺動溝１０へ係合されている摺動部７をネジ２０で結合して支持部材５を組み立てると、ホルダ６が支持部材５で躯体２及び躯体３へ取付けられる。そこで、ホルダ６の係止片１１にカバー材４の係合片１３を係合させると、カバー材４がホルダ６に支持された間隙Ｓと躯体２及び躯体３の頂部を覆ってエキスパンションジョイント１を構成する。
【００２０】
構成されたエキスパンションジョイント１は、躯体２と躯体３が常態の間隙Ｓを保っているときは、カバー材４は間隙Ｓと躯体２及び躯体３の頂部とを図１の通り被覆しているが、地震や地盤沈下等が起きて間隙Ｓを縮小又は拡大するように変動させるときは、躯体２と躯体３へ取付けられる支持部材５は、摺動部７がホルダ６の摺動溝１０内を摺動するため、躯体２及び躯体３の変動に追随して自在に動き、ホルダ６の支持位置を変化するが支持は安定に行って、間隙Ｓと躯体２及び躯体３の被覆状態を維持するものであり、ホルダの摺動溝１０は、ホルダ６の係止片１１の取付溝２６とは別個に形成され、その全長を利用できるから、常態の間隙Ｓのほぼ１／２倍程度の範囲における間隙Ｓの縮小又は拡大する変動に充分に対処できる。
【００２１】
また、このエキスパンションジョイント１は、図５にその要部を示すホルダ６の支持部材５がその基部に軌条部８に連結部９を係合させた回動継手を有して、軌条部８を中心とした回動を自在に行える。このため、間隙Ｓの変動時にホルダ６の回動が起れば、これに即応して連結部７が同様に回動し、摺動部７と摺動溝１０との平行状態を維持して、摺動部７が摺動溝１０を円滑軽快に摺動できるようにするので、変動の吸収はエキスパンションジョイント１に損傷をもたらさず安定して行われる。
【００２２】
図６に示すエキスパンションジョイント１は、間隙をおいて相対する壁躯体２ａと立上り躯体３とに実施した例を示すものであり、このエキスパンションジョイント１は、２つの躯体の形状の差によりカバー材４とホルダ６及び壁躯体側の支持部材の構造が相違する。
【００２３】
カバー材４は、図６に示す通り立上り躯体３側の端部に前例と同様に下方へ垂下する係合片１１を設け、壁躯体２ａ側の端部には上方へ立上る止水片３３を設けたものであって、間隙Ｓと立上り躯体３の上方とを覆う幅で長尺に形成されている。
【００２４】
ホルダ６は、図７に示されるように、その長手方向に２個の平行な溝を有するホルダ本体６ａと、ホルダ本体６ａの両側に差し込みによって取りつけられた係止片１１とから構成されている。
【００２５】
ホルダ本体６ａはカバー材４よりも少し短い直状に形成して、内部の上側に係止片１１等の取付溝２６を設け、この取付溝２６の立上り躯体３側には、図７に示す通り、前例と同じ係止片１１の挿込片２５を挿し込み、壁躯体２ａ側には壁躯体２ａへの係止片３４に設けた挿込片３５を挿し込んで、係止片１１と係止片３４を取付けるものであり、内部の下側には支持部材５の摺動部７を摺動させる摺動溝１０が設けられる。この摺動溝１０と上記取付溝２６とは平行溝である。
【００２６】
上記係止片３４は、図７に示す通り挿込片３５より低い位置から反対側へ水平部３６を延出させ、この水平部３６の先端から上側へカバー材４の止水片３３を包持する包持部３７を立上らせ、水平部３６の先の下側には止片３８を突出させた構造であって、ホルダに合わせた短寸に形成される。
【００２７】
ホルダ６の係止片３４を壁躯体２ａに支持させる支持部材３９は、図８（ａ）に示す通り、逆コ字形に形成して開口部の下側から係止片３４に設けた止片３８の受片４０を立上らせ、開口部の下側には止水部材２７の取付溝４１を形成する。そして、開口部の上側には係止片３４を支持部材３９内へ挿入した後、開口部を塞がせる閉塞部材４２の止着体４３を嵌め付ける嵌合溝４４を設けたものであって、この支持部材３９は図６に示す通り壁躯体２ａに設けた溝４５に収めて、取付孔４６に通したネジ４７で壁躯体２ａへ固定する。
【００２８】
閉塞部材４２は、図８（ｂ）に示す通り、支持部材３９の上壁へ乗る上片４２ａと開口部を塞ぐ前片４２ｂとを有する構造であって、前片４２ｂの上部の内側には止着体４３が付設され、下端にはカバー材４の表面へ接触するシール材４８の嵌合溝４９が形成されているものであり、この閉塞部材４７も長尺に形成されている。
【００２９】
上記構成のエキスパエキスパンションは、壁躯体２ａ側ではホルダ６が支持部材３４で僅かに回動できるが摺動はできないように支持され、立上り躯体３側を支持部材５で回動並びに摺動自在にできるように支持される。さらに、前例のように躯体３の外側とホルダの係止片との間に空隙を設ける。従って、立上り躯体３側では間隙の変動に伴う支持部材５の摺動と回動が前記と同様に行われて、躯体用のエキスパンションジョイントと同様の効果を奏するものである。
【００３０】
【発明の効果】
ホルダの長手方向に２個の平行な溝を形成し、ホルダの一方の溝には係止片を差し込み、他方の溝には支持部材を摺動自在に取りつける構成であるから、支持部材は係止片とは独立にホルダの溝の全長に沿って移動することができる。したがって、震動、地盤沈下、気温変化等による躯体変動に対応できる範囲を常態間隙のほぼ１／２倍程度の範囲における該間隙の縮小又は拡大する変動に十分に対処できる。
【図面の簡単な説明】
【図１】エキスパンションジョイントの一例を示す断面図
【図２】（ａ）（ｂ）（ｃ）（ｄ）は、支持部材を構成する摺動部、連結部、軌条部、止板の斜視図
【図３】ホルダを示す斜視図
【図４】パッキン材を示す斜視図
【図５】エキスパンションジョイントの要部を一部破断して示す拡大図
【図６】エキスパンションジョイントの他の例を示す断面図
【図７】ホルダの斜視図
【図８】（ａ）（ｂ）は、壁躯体に用いるホルダの支持部材と、支持部材の開放部を閉塞する部材とを示す斜視図
【符号の説明】
１  エキスパンションジョイント
Ｓ  間隙
２、３  立上り躯体
４  カバー材
５  支持部材
６  ホルダ
８  軌条部
１１  係止片
【図１】
2005009193.tif 000003
【図２】
2005009193.tif 000004
【図３】
2005009193.tif 000005
【図４】
2005009193.tif 000006
【図５】
2005009193.tif 000007
【図６】
2005009193.tif 000008
【図７】
2005009193.tif 000009
【図８】
2005009193.tif 000010